(57)【要約】      （修正有）【課題】インターネット等のネットワークを介してファクシミリ通信した後に送信先と安価で容易に通話ができる通信端末装置を提供する。【解決手段】インターネットファクシミリ装置は、ＩＰ網を介して通話を行うためのスカイプ通話プログラムと、スカイプ宛先テーブルを記憶するハードディスクドライブとを備えたクライアントパーソナルコンピュータに接続される。主制御部は、会話予約された所定の送信先装置へのファクシミリ送信後に、送信先装置がスカイプ宛先テーブルに記憶されているか否かを問い合わせる登録問合要求信号をクライアントパーソナルコンピュータに送信し、送信先装置がスカイプ宛先テーブルに記憶されていることを示す登録問合応答信号を受信したとき、通話指示信号を送信することによってスカイプ通話プログラムによりユーザが送信先装置と通話を行う。【選択図】図４
2008301338.tif 000002
【特許請求の範囲】
【請求項１】
ＩＰ網に接続されたクライアント装置であって、前記ＩＰ網を介して通話を行うための通話プログラムと、前記通話プログラムにより管理された宛先テーブルを記憶する記憶手段とを備えたクライアント装置に接続された通信端末装置であって、
会話予約された所定の送信先装置へのファクシミリ送信後に、前記クライアント装置に対して、前記送信先装置が前記宛先テーブルに記憶されているか否かを問い合わせる登録問合要求信号をクライアント装置に送信し、前記クライアント装置から前記登録問合要求信号に対する、前記送信先装置が前記宛先テーブルに記憶されていることを示す登録問合応答信号を受信したとき、通話指示信号を前記クライアント装置に送信することによって、前記クライアント装置において前記通話プログラムによりユーザが前記送信先装置と通話を行うように制御する制御手段を備えたことを特徴とする通信端末装置。
【請求項２】
前記制御手段は、前記クライアント装置から前記登録問合要求信号に対する、前記送信先装置が前記宛先テーブルに記憶されていないことを示す登録問合応答信号を受信したとき、前記通信端末装置に接続された電話回線又はＩＰ網を介してＶｏＩＰで発信することによって前記送信先装置と通話を行うように制御することを特徴とする請求項１記載の通信端末装置。
【発明の詳細な説明】
【技術分野】
【０００１】
本発明は、例えば、ファクシミリ装置等の通信端末装置に関し、特に、インターネット等のネットワークを介してファクシミリ通信する通信端末装置に関する。
【背景技術】
【０００２】
例えばインターネット等のネットワークを介してファクシミリ通信するインターネットファクシミリ装置が普及しつつある。特許文献１に記載の従来例１に係るファクシミリ装置は、ＰＳＴＮ回線又はＩＰ網を介して通信するためにＶｏＩＰゲートウェイ機能を有するＶｏＩＰゲートウェイ部を備えることによって、ＩＰ網を介したファクシミリ通信及び通話を可能とする。
【０００３】
特許文献２に記載の従来例２に係るコンピュータネットワークにおける広告の目標とされた表示を管理するプラットフォームでは、ウェブサーファが広告上をクリックすると、スカイプ等のＶｏＩＰアプリケーションを介してその広告主と直に接続される。電話オペレータが利用可能でなければ、ウェブサーファはコールバックを要求できるウェブページに直ちに方向付けされる。
【０００４】
【特許文献１】特開２００６−２２２７８５号公報。
【特許文献２】特開２００６−１９５９７４号公報。
【発明の開示】
【発明が解決しようとする課題】
【０００５】
しかしながら、従来例１に係るファクシミリ装置及び従来例２に係るコンピュータネットワークにおける広告の目標とされた表示を管理するプラットフォームにおいては、インターネットを介してファクシミリ通信した後に送信先と会話したい場合、ユーザに、電話を掛けるための操作を別途行わせる必要があった。
【０００６】
本発明の目的は以上の問題点を解決し、インターネット等のネットワークを介してファクシミリ通信した後に送信先と安価で容易に通話できるファクシミリ装置等の通信端末装置を提供することにある。
【課題を解決するための手段】
【０００７】
本発明に係る通信端末装置は、ＩＰ網に接続されたクライアント装置であって、前記ＩＰ網を介して通話を行うための通話プログラムと、前記通話プログラムにより管理された宛先テーブルを記憶する記憶手段とを備えたクライアント装置に接続された通信端末装置であって、会話予約された所定の送信先装置へのファクシミリ送信後に、前記クライアント装置に対して、前記送信先装置が前記宛先テーブルに記憶されているか否かを問い合わせる登録問合要求信号をクライアント装置に送信し、前記クライアント装置から前記登録問合要求信号に対する、前記送信先装置が前記宛先テーブルに記憶されていることを示す登録問合応答信号を受信したとき、通話指示信号を前記クライアント装置に送信することによって、前記クライアント装置において前記通話プログラムによりユーザが前記送信先装置と通話を行うように制御する制御手段を備えたことを特徴とする。
【０００８】
上記通信端末装置において、前記制御手段は、前記クライアント装置から前記登録問合要求信号に対する、前記送信先装置が前記宛先テーブルに記憶されていないことを示す登録問合応答信号を受信したとき、前記通信端末装置に接続された電話回線又はＩＰ網を介してＶｏＩＰで発信することによって前記送信先装置と通話を行うように制御することを特徴とする。
【発明の効果】
【０００９】
本発明に係るファクシミリ装置によれば、会話予約された所定の送信先装置へのファクシミリ送信後に、クライアント装置に対して、送信先装置が宛先テーブルに記憶されているか否かを問い合わせる登録問合要求信号をクライアント装置に送信し、クライアント装置から登録問合要求信号に対する、送信先装置が前記宛先テーブルに記憶されていることを示す登録問合応答信号を受信したとき、通話指示信号を前記クライアント装置に送信することによって、クライアント装置において通話プログラムによりユーザが送信先装置と通話を行うように制御する制御手段を備えたので、インターネット等のネットワークを介してファクシミリ通信した後に送信先と安価で容易に通話できるという有利な効果を奏する。
【発明を実施するための最良の形態】
【００１０】
以下、本発明に係る実施形態について図面を参照して説明する。なお、以下の各実施形態において、同様の構成要素については同一の符号を付している。
【００１１】
実施形態．
【００１２】
図１は、本発明に係る一実施形態である、インターネットファクシミリ装置２０及びクライアントパーソナルコンピュータ３０−１乃至３０−Ｎを備えたファクシミリシステムの構成を示すブロック図である。
【００１３】
この実施形態に係るファクシミリシステムは、複数Ｎ台のクライアントパーソナルコンピュータ３０−１乃至３０−Ｎ（以下、総称して符号３０を付す。）と、公衆電話回線Ｌを介してそれぞれ公衆電話網８０に接続されたインターネットファクシミリ装置２０と、インターネット９０に接続されたルータ装置６０とがローカルエリアネットワーク（以下、ＬＡＮという。）７０を介して接続されて構成される。
【００１４】
この実施形態に係るインターネットファクシミリ装置２０は、ＩＰ網に接続されたクライアントパーソナルコンピュータ３０であって、ＩＰ網を介して通話を行うためのスカイプ通話プログラム１０８ａと、スカイプ通話プログラム１０８ａにより管理されたスカイプ宛先テーブル１０８ｂを記憶するハードディスクドライブ１０８とを備えたクライアントパーソナルコンピュータ３０に接続される。主制御部１は、会話予約された所定の送信先装置へのファクシミリ送信（図４のステップＳ１２及びＳ１４）後に、クライアントパーソナルコンピュータ３０に対して、送信先装置がスカイプ宛先テーブル１０８ｂに記憶されているか否かを問い合わせる登録問合要求信号をクライアントパーソナルコンピュータ３０に送信し（図４のステップＳ１６）、クライアントパーソナルコンピュータ３０から登録問合要求信号に対する、送信先装置がスカイプ宛先テーブル１０８ｂに記憶されていることを示す登録問合応答信号を受信した（図４のステップＳ１７及びステップＳ１８のＹＥＳ）とき、通話指示信号をクライアントパーソナルコンピュータ３０に送信する（図４のステップＳ１９）ことによって、クライアントパーソナルコンピュータ３０においてスカイプ通話プログラム１０８ａによりユーザが送信先装置と通話を行うように制御する。
【００１５】
上記インターネットファクシミリ装置２０において、主制御部１は、クライアントパーソナルコンピュータ３０から登録問合要求信号に対する、送信先装置がスカイプ宛先テーブル１０８ｂに記憶されていないことを示す登録問合応答信号を受信したとき、インターネットファクシミリ装置２０に接続された電話回線又はＩＰ網を介してＶｏＩＰで発信することによって送信先装置と通話を行うように制御する。
【００１６】
図２は、図１のクライアントパーソナルコンピュータ３０の詳細構成を示すブロック図である。図２において、クライアントパーソナルコンピュータ３０は、主制御部１０１と、画像読取部１０２と、画像記録部１０３と、表示部１０４と、操作部１０５と、ＲＯＭ（Read Only Memory）１０６と、ＲＡＭ（Random Access Memory）１０７と、ハードディスクドライブ１０８と、ＬＡＮインターフェース１１２とを備えて構成される。クライアントパーソナルコンピュータ３０は、公知のパーソナルコンピュータであって、画像データや文字データの生成や記録などの処理を実行する。本実施形態においては、クライアントパーソナルコンピュータ３０は、一例として、ファクシミリの画像データ又はテキストデータを送信し又は受信する端末装置として用いられる。主制御部１０１は具体的にはＣＰＵ（中央処理装置：Central Processing Unit）で構成されており、バス１１３を介して以下のハードウェア各部と接続されていてそれらを制御するほか、後述する種々のソフトウェアの機能を実行する。このクライアントパーソナルコンピュータ３０において、画像読取部１０２及び画像記録部１０３はオプションで設けられ、画像読取部１０２は、ＣＣＤ等を利用したスキャナで原稿を読み取り、白黒２値に変換したドットイメージデータを出力する。画像記録部１０３は例えば電子写真方式等のプリンタ装置であり、他のファクシミリ装置からファクシミリ通信により受信したイメージデータをハードコピーとしてプリントアウトして記録したり、文字データを記録する。表示部１０４は、液晶表示装置（ＬＣＤ）又はＣＲＴディスプレイ等の表示装置であり、当該クライアントパーソナルコンピュータ３０の動作状態を表示したり、送信すべき原稿のイメージデータ、及び受信したイメージデータの表示を行う。操作部１０５は、例えばキーボードであり、文字データや指示コマンドを入力するためのものである。
【００１７】
ＲＯＭ１０６は、当該クライアントパーソナルコンピュータ３０の動作に必要であって主制御部１０１によって実行される種々のソフトウェアのプログラムを予め格納する。また、ＲＡＭ１０７は、ＳＲＡＭ（Static Random Access Memory）、ＤＲＡＭ（Dynamic Random Access Memory）、ＳＤＲＡＭ（Synchronous DRAM）等で構成され、主制御部１０１のワーキングエリアとして使用されてプログラムの実行時に発生する一時的なデータを記憶する。さらに、ハードディスクドライブ１０８は、記録媒体を内蔵する記憶装置であり、スカイプ通信プログラム１０８ａと、スカイプ宛先テーブル１０８ｂと、インターフェースプログラム１０８ｃとを格納し、その他の実行するアプリケーションプログラムや画像メモリ等を格納する。スカイプ通信プログラム１０８ａは、インターネットを介して、スカイプ宛先テーブル１０８ｂに登録された相手と電話やビデオ通話などを行うことができるプログラムである。スカイプ宛先テーブル１０８ｂは、スカイプ通信プログラム１０８ａにより作成されかつ登録されている相手の接続情報等を格納する。インターフェースプログラム１０８ｃは、クライアントパーソナルコンピュータ３０において常駐し、クライアントパーソナルコンピュータ３０がインターネットファクシミリ装置２０と通信を行うためのインターフェースを提供する。ＬＡＮインターフェース１１２は、ＬＡＮ７０に接続され、ＬＡＮ７０からの信号やデータを受信する一方、ＬＡＮ７０に対して信号やデータを送信して信号変換やプロトコル変換などのインターフェース処理を実行する。
【００１８】
図３は、図１のインターネットファクシミリ装置２０の詳細構成を示すブロック図である。図３において、インターネットファクシミリ装置２０は、主制御部（ＣＰＵ）１と、画像読取部２と、画像記録部３と、表示部４と、操作部５と、ＲＯＭ６と、ＲＡＭ７と、画像メモリ８と、ファックスモデム１０と、ネットワーク制御回路（以下、ＮＣＵ（Network Control Unit）という。）１１と、ＬＡＮインターフェース回路１２とを備えて構成され、上記各構成要素１乃至１２は、バス１３を介して互いに接続されている。ＮＣＵ１１は、公衆電話回線Ｌを介して相手先のファクシミリ装置と接続されている。
【００１９】
インターネットファクシミリ装置２０は、従来のＧ３方式等のファクシミリ通信機能及びインターネット９０を介して画像データを送信するインターネットファクシミリ通信機能を備えている。主制御部１は具体的にはＣＰＵで構成されており、バス１３を介して以下のハードウェア各部と接続されていてそれらを制御するほか、後述する種々のソフトウェアの機能を実行する。
【００２０】
画像読取部２は、ＣＣＤ等を利用したスキャナで原稿を読み取り、白黒２値に変更したドットイメージデータを出力する。画像記録部３は電子写真方式等のプリンタ装置であり、他のファクシミリ装置からファクシミリ通信により受信したイメージデータをハードコピーとしてプリントアウトして記録する。表示部４は、液晶表示装置（ＬＣＤ）又はＣＲＴディスプレイ等の表示装置であり、当該インターネットファクシミリ装置２０の動作状態を表示したり、送信すべき原稿のイメージデータ、及び受信したイメージデータの表示を行う。
【００２１】
操作部５は、当該インターネットファクシミリ装置２０を操作するために必要な文字キー、ダイヤル用テンキー、短縮ダイヤルキー、ワンタッチダイヤルキー、及び各種のファンクションキー等の他、ファクシミリ送信後に通話を行うか否かを選択するための会話予約キーを備える。なお、上述の表示部４をタッチパネル方式とすることにより、この操作部５の各種キーの内の一部又は全部を代用するように構成してもよい。
【００２２】
ＲＯＭ６は、当該インターネットファクシミリ装置２０の動作に必要であって主制御部１によって実行される種々のソフトウェアのプログラムを予め格納する。ここで、ＲＯＭ６は、少なくとも図４のファクシミリ送信及び通話処理のプログラムを格納する。ＲＡＭ７は、ＳＲＡＭ、ＤＲＡＭ、ＳＤＲＡＭ等で構成され、主制御部１のワーキングエリアとして使用されてプログラムの実行時に発生する一時的なデータを記憶する。なお、ＲＡＭ７としてフラッシュメモリを使用した場合には、停電、装置の移動等のために電源が遮断された場合にもそのデータの内容が失われない。画像メモリ８はＤＲＡＭ等で構成され、送信すべきイメージデータ又は受信したイメージデータを記憶する。なお、ＲＡＭ７及び画像メモリ８をハードディスクメモリで構成してもよい。
【００２３】
ファックスモデム１０は、ＮＣＵ１１を介して公衆電話回線Ｌに接続され、通常のファクシミリ通信用のファックスモデムの機能を有するモデムであり、ＦＳＫ信号（周波数シフトキーイング信号）として受信される発信電話番号情報のデータを復調して主制御部１に出力する。ＮＣＵ１１はアナログの公衆電話回線Ｌの直流ループなどの閉結及び開放の動作を行いかつ自動ダイヤル機能を有するハードウェア回路であり、必要に応じてファックスモデム１０を公衆電話回線Ｌに接続する。ここで、ＮＣＵ１１は、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。なお、ＮＣＵ１１を所定のターミナルアダプタ及びＤＳＵ（加入者線終端装置：Digital Service Unit）を介して、ＩＳＤＮ回線等のベースバンド伝送方式のデジタル回線に接続するようにしてもよい。
【００２４】
さらに、ＬＡＮインターフェース１２は、ＬＡＮ７０に接続され、ＬＡＮ７０からの信号やデータを受信する一方、ＬＡＮ７０に対して信号やデータを送信して信号変換やプロトコル変換などのインターフェース処理を実行する。
【００２５】
以上のように構成されたインターネットファクシミリ装置２０は、通常のＧ３方式等のファクシミリ通信機能及びインターネット９０を介して画像データを送信するインターネットファクシミリ通信機能を有している。なお、画像メモリ８はイメージデータを必要に応じて記憶し、また逆に記憶しているイメージデータを必要に応じて出力する。また、インターネットファクシミリ装置２０は、上記配信先通知データに応答して、対応する画像データを上記配信先通知データで指示された配信先に配信し、ここで、配信方法は、公衆電話網Ｌを介するＩＴＵ−Ｔ勧告のＴ．３０の通信手順に基づくファクシミリ送信と、インターネット９０を介して画像データを送信するインターネットファクシミリ送信とを含む。
【００２６】
図４は、図３のインターネットファクシミリ装置２０の主制御部１によって実行されるファクシミリ送信及び通話処理を示すフローチャートである。
【００２７】
図４において、まず、ステップ１０において、ファクシミリ送信のイベントが発生したか否かを判断し、ＹＥＳのときはステップＳ１１に進む一方、ＮＯのときはステップＳ１０に戻って処理を繰り返す。ステップＳ１１において、フラグｆｌａｇを「０」に初期化した後、ステップＳ１２に進む。ステップＳ１２において、操作部５の会話予約キーがオンされているか否かを判断し、ＹＥＳのときはステップＳ１３に進む一方、ＮＯのときはステップＳ１４に進む。ステップＳ１３において、フラグｆｌａｇに「１」をセットした後、ステップＳ１４に進む。ステップＳ１４において、通常のファクシミリ送信処理を行った後、ステップＳ１５に進む。
【００２８】
ステップＳ１５において、フラグｆｌａｇが「１」であるか否かを判断し、ＹＥＳのときはステップＳ１６に進む一方、ＮＯのときは当該ファクシミリ送信及び通話処理を終了する。ステップＳ１６において、クライアントパーソナルコンピュータ３０のスカイプ宛先テーブル１０８ｂに当該送信先が登録されているかを問い合わせる登録問合要求信号をクライアントパーソナルコンピュータ３０に送信した後、ステップＳ１７に進む。クライアントパーソナルコンピュータ３０は、インターフェースプログラム１０８ｃにより登録問合要求信号を受信すると、ハードディスクドライブ１０８のスカイプ宛先テーブル１０８ｂを参照することによって当該送信先が登録されているか否かを調べ、当該送信先が登録されているか否かを示す登録問合応答信号をインターネットファクシミリ装置２０に送信する。ステップＳ１７において、クライアントパーソナルコンピュータ３０から登録問合要求信号に対する登録問合応答信号を受信した後、ステップＳ１８に進む。ステップＳ１８において、受信した登録問合応答信号は当該送信先が登録されていることを示すか否かを判断し、ＹＥＳのときはステップＳ１９に進む一方、ＮＯのときはステップＳ２０に進む。ステップＳ１９において、インターフェースプログラム１０８ｃのインターフェースを介してスカイプ通信プログラム１０８ａのインターフェースに通話指示信号を送信し、ステップＳ２１において通話が行われ、その通信が終了したならば、その終話処理を実行した後、当該処理を終了する。
【００２９】
ステップＳ２０において、電話回線を介してＶｏＩＰで発信し、ステップＳ２２において、表示部４に発信中であることを表示した後、ステップＳ２３に進む。ステップＳ２３において、接続されたか否かが判断され、ＹＥＳのときはステップＳ２１に進む一方、ＮＯのときはステップＳ２３に戻って処理を繰り返す。
【００３０】
以上説明したように、本実施形態に係るインターネットファクシミリ装置２０によれば、会話予約された所定の送信先装置へのファクシミリ送信（図４のステップＳ１２及びＳ１４）後に、クライアントパーソナルコンピュータ３０に対して、送信先装置がスカイプ宛先テーブル１０８ｂに記憶されているか否かを問い合わせる登録問合要求信号をクライアントパーソナルコンピュータ３０に送信し（図４のステップＳ１６）、クライアントパーソナルコンピュータ３０から登録問合要求信号に対する、送信先装置がスカイプ宛先テーブル１０８ｂに記憶されていることを示す登録問合応答信号を受信した（図４のステップＳ１７及びステップＳ１８のＹＥＳ）とき、通話指示信号をクライアントパーソナルコンピュータ３０に送信する（図４のステップＳ１９）ことによって、クライアントパーソナルコンピュータ３０においてスカイプ通話プログラム１０８ａによりユーザが送信先装置と通話を行うように制御する主制御部１を備えたので、インターネット等のネットワークを介してファクシミリ通信した後に送信先と安価で容易に通話ができる。
【００３１】
なお、本実施形態において、図４のステップＳ２０において、電話回線を介してＶｏＩＰで発信してそのプロトコルを用いて通信をしているが、本発明はこれ限らず、電話回線に代えてインターネット９０のＩＰ網を介してＶｏＩＰで発信してそのプロトコルを用いて通話をしてもよい。
【産業上の利用可能性】
【００３２】
以上詳述したように、本発明に係る通信端末装置によれば、会話予約された所定の送信先装置へのファクシミリ送信後に、クライアント装置に対して、送信先装置が宛先テーブルに記憶されているか否かを問い合わせる登録問合要求信号をクライアント装置に送信し、クライアント装置から登録問合要求信号に対する、送信先装置が前記宛先テーブルに記憶されていることを示す登録問合応答信号を受信したとき、通話指示信号を前記クライアント装置に送信することによって、クライアント装置において通話プログラムによりユーザが送信先装置と通話を行うように制御する制御手段を備えたので、インターネット等のネットワークを介してファクシミリ通信した後に送信先と安価で容易に通話ができる。
【図面の簡単な説明】
【００３３】
【図１】本発明に係る一実施形態である、インターネットファクシミリ装置２０及びクライアントパーソナルコンピュータ３０−１乃至３０−Ｎを備えたファクシミリシステムの構成を示すブロック図である。
【図２】図１のクライアントパーソナルコンピュータ３０の詳細構成を示すブロック図である。
【図３】図１のインターネットファクシミリ装置２０の詳細構成を示すブロック図である。
【図４】図３のインターネットファクシミリ装置２０の主制御部１によって実行されるファクシミリ送信及び通話処理を示すフローチャートである。
【符号の説明】
【００３４】
１…主制御部（ＣＰＵ）、
２…画像読取部、
３…画像記録部、
４…表示部、
５…操作部、
６…ＲＯＭ、
７…ＲＡＭ、
８…画像メモリ、
１０…ファックスモデム、
１１…ネットワーク制御回路（ＮＣＵ）、
１２…ＬＡＮインターフェース回路、
１３…バス、
２０…インターネットファクシミリ装置、
３０…クライアントパーソナルコンピュータ、
６０…ルータ装置、
７０…ローカルエリアネットワーク（ＬＡＮ）、
８０…公衆電話網、
９０…インターネット、
１０１…主制御部（ＣＰＵ）、
１０２…画像読取部、
１０３…画像記録部、
１０４…表示部、
１０５…操作部、
１０６…ＲＯＭ、
１０７…ＲＡＭ、
１０８…ハードディスクドライブ、
１０８ａ…スカイプ通信プログラム、
１０８ｂ…スカイプ宛先テーブル、
１０８ｃ…インターフェースプログラム、
１１２…ＬＡＮインターフェース回路、
１１３…バス。
【図１】
2008301338.tif 000003
【図２】
2008301338.tif 000004
【図３】
2008301338.tif 000005
【図４】
2008301338.tif 000006